(57)【要約】【課題】カマ状ボルトを用いた施錠操作を容易に行うことができる施錠装置を提供する。【解決手段】本発明に係る施錠装置は、戸先側木口から出没可能なカマ状ボルト２６を備えた鍵箱１８と、鍵箱１８に離間状態で対向配置され且つ突き当て接近状態のときにカマ状ボルト２６と係合可能な受穴５５を備えた受箱２０と、を備え、受箱２０には、受穴５５の穴幅と略一致する開放端６１とカマ状ボルト２６のカマ爪３１の幅以上の係合溝部６３とが一体に形成され、且つ、係合溝部６３よりも開放端６１の方が幅広となるように拡開された引き寄せガイド部材５４が設けられていることを特徴とする。【選択図】      図２
2011202377.tif 000002
【特許請求の範囲】
【請求項１】
戸先側木口から出没可能なカマ状ボルトを備えた鍵箱と、該鍵箱に離間状態で対向配置され且つ突き当て接近状態のときに前記カマ状ボルトと係合可能な受穴を備えた受箱と、を備えた施錠装置において、
前記受箱には、前記受穴の穴幅と略一致する開放端と前記カマ状ボルトのカマ爪幅以上の係合溝部とが一体に形成され、且つ、前記係合溝部よりも前記開放端の方が幅広となるように拡開された引き寄せガイド部材が設けられていることを特徴とする施錠装置。
【請求項２】
前記カマ状ボルトの先端には、先端に向かう程に厚さ方向で先き細りとなるようにテーパ面が形成されていることを特徴とする請求項１に記載の施錠装置。
【発明の詳細な説明】
【技術分野】
【０００１】
本発明は、戸先側木口から出没可能なカマ状ボルトを備えた鍵箱と、該鍵箱に離間状態で対向配置され且つ突き当て接近状態のときに前記カマ状ボルトと係合可能な受穴を備えた受箱と、を備えた施錠装置に関する。
【背景技術】
【０００２】
従来から、室内外を連通する出入口を開閉する扉には、扉平面方向に沿ってスライド変位する引戸タイプのものが周知である。
【０００３】
また、このような引戸に施錠装置を設ける場合、例えば、脱衣所やトイレ等に設けられる簡易的な施錠装置では、扉の戸先側木口に内設された錠箱内に回動軸を中心に回動可能なカマ状ボルトが設けられている。また、扉の戸先側木口が当接する戸当たり部分には受穴を形成したストライクが取り付けられている。
【０００４】
このような施錠装置を用いた施錠・解錠操作は、扉が閉成された状態で、扉の室内側面に表出された操作摘み（サムターン）を施錠方向に回転操作することにより、錠箱内のカマ状ボルトが錠箱から円弧状の軌跡で突出してストライクの受穴に係合することで、扉の開放を規制する施錠状態とすることができる。また、この施錠状態から施錠操作方向と逆方向に操作摘みを回転操作することで、ストライクの受穴に係合したカマ状ボルトを再び円弧状の軌跡で錠箱内に後退させ、ストライクの受穴との係合状態が解除され、扉の開放を可能とする解錠状態とすることができる（例えば、特許文献１参照）。
【先行技術文献】
【特許文献】
【０００５】
【特許文献１】特開２００７−１２００７９号公報
【発明の概要】
【発明が解決しようとする課題】
【０００６】
ところが、上述した施錠装置にあっては、特に、障害者用公衆トイレや工場・倉庫等のように、扉開閉案内用のレールや溝等を床面に設置することが困難な場合、扉開閉案内のレール等は扉上方に設けられる。
【０００７】
このような扉上方にレール等を設けた吊り下げ方式の引戸の場合、扉の開閉操作や施錠・解錠操作時の操作荷重によって扉が振れ（揺れ）易いという問題がある。
【０００８】
これにより、特に施錠操作の際に扉が振れてしまうと、カマ状ボルトがストライクの受穴に入り難いという問題が生じていた。
【０００９】
尚、吊り下げ方式の引戸の場合、床面式の引戸に比べて支点から施錠部分までの距離が長いことが多い。
【００１０】
即ち、床面式の場合、床面から施錠部分までの高さは７０〜９０ｃｍ程度であるが、吊り下げ方式の場合、扉の大きさ（例えば、障害者用公衆トイレと工場とでは大きく異なる）によるが９０ｃｍ以上になることが多い。
【００１１】
したがって、吊り下げ方式の引戸の場合、床面式の引戸に比べて振れ幅が大きくなってしまうことから、カマ状ボルトをストライクの受穴に係合させることがより困難になるという問題が生じていた。
【００１２】
本発明は、上記した課題を解決すべくなされたものであり、カマ状ボルトを用いた施錠操作を容易に行うことができる施錠装置を提供することを目的とする。
【課題を解決するための手段】
【００１３】
本発明の施錠装置は、戸先側木口から出没可能なカマ状ボルトを備えた鍵箱と、該鍵箱に離間状態で対向配置され且つ突き当て接近状態のときに前記カマ状ボルトと係合可能な受穴を備えた受箱と、を備えた施錠装置において、前記受箱には、前記受穴の穴幅と略一致する開放端と前記カマ状ボルトのカマ爪幅以上の係合溝部とが一体に形成され、且つ、前記係合溝部よりも前記開放端の方が幅広となるように拡開された引き寄せガイド部材が設けられていることを特徴とする。
【００１４】
この際、前記カマ状ボルトの先端には、先端に向かう程に厚さ方向で先き細りとなるようにテーパ面が形成されているのが好ましい。
【発明の効果】
【００１５】
本発明の施錠装置によれば、カマ状ボルトを用いた施錠操作を容易に行うことができる。
【図面の簡単な説明】
【００１６】
【図１】本発明の一実施形態に係る施錠装置を適用した引戸の一例を示す正面図である。
【図２】本発明の一実施形態に係る施錠装置の解錠状態の要部の縦断面図である。
【図３】本発明の一実施形態に係る施錠装置の扉閉成状態の要部の縦断面図である。
【図４】本発明の一実施形態に係る施錠装置の施錠状態の要部の縦断面図である。
【図５】本発明の一実施形態に係る施錠装置の施錠状態の要部の平断面図である。
【図６】本発明の一実施形態に係る施錠装置に適用されるカマ状ボルトを示し、（Ａ）はカマ状ボルトの正面図、（Ｂ）はカマ状ボルトの側面図、（Ｃ）はカマ状ボルトの底面図である。
【図７】本発明の一実施形態に係る施錠装置に適用される補強板を示し、（Ａ）は補強板の平断面図、（Ｂ）は補強板の側面図、（Ｃ）は補強板の縦断面図である。
【図８】本発明の一実施形態に係る施錠装置に適用される引き寄せガイド部材を示し、（Ａ）は引き寄せガイド部材の平断面図、（Ｂ）は引き寄せガイド部材の縦断面図、（Ｃ）は引き寄せガイド部材の側面図である。
【発明を実施するための形態】
【００１７】
次に、本発明の一実施形態に係る施錠装置について、図面を参照して説明する。ここで、図１は本発明の一実施形態に係る施錠装置を適用した引戸の一例を示す正面図、図２は本発明の一実施形態に係る施錠装置の解錠状態の要部の縦断面図、図３は本発明の一実施形態に係る施錠装置の扉閉成状態の要部の縦断面図、図４は本発明の一実施形態に係る施錠装置の施錠状態の要部の縦断面図、図５は本発明の一実施形態に係る施錠装置の施錠状態の要部の平断面図、図６は本発明の一実施形態に係る施錠装置に適用されるカマ状ボルトを示し、図６（Ａ）はカマ状ボルトの正面図、図６（Ｂ）はカマ状ボルトの側面図、図６（Ｃ）はカマ状ボルトの底面図、図７は本発明の一実施形態に係る施錠装置に適用される補強板を示し、図７（Ａ）は補強板の平断面図、図７（Ｂ）は補強板の側面図、図７（Ｃ）は補強板の縦断面図、図８は本発明の一実施形態に係る施錠装置に適用される引き寄せガイド部材を示し、図８（Ａ）は引き寄せガイド部材の平断面図、図８（Ｂ）は引き寄せガイド部材の縦断面図、図８（Ｃ）は引き寄せガイド部材の側面図である。
【００１８】
尚、以下に示す実施例は本発明の施錠装置における好適な具体例であり、技術的に好ましい種々の限定を付している場合もあるが、本発明の技術範囲は、特に本発明を限定する記載がない限り、これらの態様に限定されるものではない。また、以下の説明において、本発明の施錠装置を備えた引戸として障害者用公衆トイレ用等の標準的な扉高さの引戸に適用して説明するが、例えば、工場・倉庫・車庫等の高さ並びに幅が比較的大きい引戸への適用も可能である。
【００１９】
図１において、本実施の形態に係る施錠装置を備えた引戸１０は、出入口の開口上縁と戸先側開口縦縁とに沿うように壁面１１に設けられた扉支持フレーム１２と、扉支持フレーム１２の出入口上縁フレーム１３にローラ１４を介してスライド変位可能に吊り下げ支持されて出入口を開閉する扉１５と、扉１５の戸先寄り壁面に設けられた開閉操作用取っ手（室内側のみ図示）を兼用した手摺１６と、手摺１６の上方に配置されて施錠・解錠操作を行うためのサムターン１７と、扉１５の戸先寄り内部に設けられた鍵箱１８と、扉支持フレーム１２の戸先側の出入口縦フレーム１９に内設された受箱２０と、を備えている。
【００２０】
尚、本実施の形態においては、障害者用公衆トイレに適用されているため、一般的な扉高さと略同一規格（例えば、１８０〜２００ｃｍ）の扉１５（幅は車椅子Ｓの出入りが容易となるように幅広である）が用いられており、受箱２０は、車椅子Ｓに乗車しての利用者が一人で施錠・解錠操作が可能となるように、扉１５の上縁からの高さＨ１よりも地上高Ｈ２の方が低い位置に配置されている。
【００２１】
これにより、サムターン１７を操作する際の受箱２０の付近での扉１５の振れは、床面式の引戸に比べて大きい振れとなっている。
【００２２】
（鍵箱１８の具体的な構成）
鍵箱１８は、図２乃至図５に示すように、扉１５の戸先側木口外面に固定された化粧板２１と、扉１５の戸先側木口内面に固定された鍵箱本体２２と、鍵箱本体２２の上部内側に配置されてサムターン１７（軸部のみ図示）を回転可能に保持したブラケット２３と、ブラケット２３に回転可能に保持されてサムターン１７と一体に回転する駆動ギヤ２４と、鍵箱本体２２に回転可能に支持されて駆動ギヤ２４と噛み合うセグメントギヤ２５と、鍵箱本体２２に回転可能に支持されてセグメントギヤ２５の回転に連動して回転するカマ状ボルト２６と、鍵箱本体２２にスライド変位可能に支持されて化粧板２１から先端が突出するトリガーピン２７と、鍵箱本体２２にストッパ支持軸２８を介して回動可能に軸支されてトリガーピン２７の先端突出量に応じて回動するストッパピン２９と、ストッパ支持軸２８に巻設されて常時はトリガーピン２７を突出させるようにストッパピン２９を付勢するストッパ付勢バネ３０と、を備えている。
【００２３】
化粧板２１は、薄肉の金属プレート等から構成されており、扉１５の戸先側木口外面にネジ固定されている。また、化粧板２１には、カマ状ボルト２６のカマ爪３１が化粧板２１から出没可能となるように進退穴２１ａが形成されている。この進退穴２１ａは、扉１５の戸先側木口に形成された進退穴１５ａと略一致する正面視矩形の開口状に形成されている。この際、進退穴２１ａと進退穴１５ａとは、少なくともその上縁開口端が略一致すると共に、施錠状態にあるときのカマ爪３１の一部と当接してカマ爪３１の回転範囲を規制するように構成しても良い。
【００２４】
鍵箱本体２２は、一対の金属フレームの合わせ構造によって所定の厚さを有する略直方体形状に形成されている。また、鍵箱本体２２には、進退穴２１ａ及び進退穴１５ａと一致もしくはそれ以上の開口とされた進退穴１８ａが形成されている。
【００２５】
ブラケット２３には、駆動ギヤ２４の施錠方向の回動位置と解錠方向の回動位置とを規制するための突起状の施錠側ストッパ３２と解錠側ストッパ３３とが設けられている。
【００２６】
駆動ギヤ２４は、約１／４〜１／３周分程度の駆動扇形ギヤ部３４と、駆動扇形ギヤ部３４の反対側付近に形成されて施錠側ストッパ３２及び解錠側ストッパ３３と係合する回動範囲規制爪３５と、が一体に形成されている。
【００２７】
セグメントギヤ２５は、鍵箱本体２２に固定のセグメント支持軸３６を介して回転可能に支持されており、約１／４〜１／３周分程度とされて駆動扇形ギヤ部３４と噛み合う従動扇形ギヤ部３７と、従動扇形ギヤ部３７とは反対側に形成されたカマ駆動ピン３８と、を備えている。
【００２８】
カマ状ボルト２６は、図６に示すように、一対のカマ状プレート３９，４０と、この一対のカマ状プレート３９，４０の先端寄り間に設けられた一対のカマ状スペーサ４１，４２と、を備えている。
【００２９】
カマ状プレート３９，４０は、略三角形状のベース部４３と、楔状のカマ爪３１と、が一体に形成されており、カマ状スペーサ４１，４２を各カマ爪３１の間に配置することで厚みの確保と共に各ベース部４３の間に対向空間４４を形成している。また、各ベース部４３は、鍵箱本体２２に固定のカマ支持軸４５を介して回動可能に支持されている。この際、カマ状ボルト２６の回動範囲は、各ベース部４３に形成されてカマ駆動ピン３８と係合する長孔４６によって規制されている。さらに、一対のベース部４３には、対向空間４４を貫通するバネ支持ピン４７と、対向空間４４の内部に配置されて一端がカマ駆動ピン３８に弾接し且つ他端がベース部４３に係合支持されることでカマ状ボルト２６を解錠方向に回動付勢するようにバネ支持ピン４７に巻設されたカマ付勢バネ４８と、が配置されている。また、各カマ爪３１の先端寄りには、先端に向かう略に厚さ方向で先細りとなるように形成されたテーパ面３１ａが形成されている。
【００３０】
カマ状スペーサ４１，４２は、本実施の形態においては、同一形状の２枚の薄肉プレートによって構成されており、本実施の形態では３本の結合ピン４９によってカマ状プレート３９，４０とユニット状に結合されている。また、カマ状スペーサ４１，４２には、解錠時の底面側に開放する係合凹部５０が形成されている。
【００３１】
トリガーピン２７は、その先端突出量が戸先側木口から変位し、扉１５を閉成する際にその先端が戸先側の出入口縦フレーム１９（受箱２０）に突き当たることにより、扉１５と戸先側の出入口縦フレーム１９との対向間隔分だけ突出した状態となる。
【００３２】
ストッパピン２９は、図２に示すように、扉１５が開放状態（解錠状態）のときにその先端が係合凹部５０と係合する。これにより、サムターン１７を施錠方向に回動させようとしてもカマ状ボルト２６の施錠方向の回動、即ち、カマ爪３１が戸先側木口から不測に突出しないように構成されている。また、ストッパピン２９は、扉１５を閉成する際にその先端が戸先側の出入口縦フレーム１９に突き当たると、図３に示すように、ストッパ付勢バネ３０の付勢に抗して回動し、その先端と係合凹部５０との係合が解除される。これにより、図４に示すように、サムターン１７を施錠方向に回動させてカマ状ボルト２６の施錠方向への回動が許容される。また、この施錠方向から解錠方向への回動が許容される。
【００３３】
ストッパ付勢バネ３０は、鍵箱本体２２の底面に一端が弾接し、他端がストッパピン２９の背面側に弾接することによってトリガーピン２７の先端を押し出す方向にストッパピン２９を回動付勢する。
【００３４】
（受箱２０の具体的な構成）
受箱２０は、板状のストライク５１と、ストライク５１の背面に設けられた補強板５２と、補強板５２の背面に設けられたトロヨケ５３と、補強板５２とトロヨケ５３との間に配置された引き寄せガイド部材５４と、を備えている。
【００３５】
ストライク５１は、薄肉の金属板から構成されており、扉１５を閉成状態としたときに進退穴２１ａと対向する受穴５５が形成されている。
【００３６】
補強板５２は、ストライク５１の背面側に重なるように設けられており、受穴５５と略一致する係合穴５６が形成されている。また、補強板５２には、図７に示すように、上下方向で略円弧形状とされた側板５７が一体に設けられている。
【００３７】
トロヨケ５３は、その上下の接合板部５８，５９が補強板５２の背面側で重なるように溶接固定されている。また、トロヨケ５３には、係合穴５６と対向する後壁面６０が側板５７の背面側端面の形状に倣うように上下方向で断面円弧状に形成されている。
【００３８】
引き寄せガイド部材５４は、樹脂又は硬質ゴム等から構成されており、図８に示すように、係合穴５６の穴幅と略一致する開放端６１の外周に設けられて側板５７の正面側端面とストライク５１の背面とに挟持されるフランジ部６２と、開放端６１と連通してカマ状ボルト２６のカマ爪３１幅以上とされた係合溝部６３を形成した側面部６４と、トロヨケ５３の後壁面６０と対向する溝底部６５と、が一体に形成されている。また、側面部６４の内壁面は係合溝部６３の溝幅よりも開放端６１の幅の方が幅広となるように拡開されたガイド面６４ａとなっている。
（作用）
【００３９】
上記の構成において、図２に示すように、扉１５が開放状態にある際には、カマ状ボルト２６は鍵箱本体２２の内部に埋没していると共に、ストッパピン２９の先端が係合凹部５０と係合した回動規制状態となっている。
【００４０】
この状態から、扉１５を閉めると、図３に示すように、ストッパピン２９の先端が戸先側の出入口縦フレーム１９に突き当たり、ストッパ付勢バネ３０の付勢に抗してストッパピン２９が回動し、ストッパピン２９の先端と係合凹部５０との係合が解除される。
【００４１】
これにより、サムターン１７を施錠方向に回動させると、図４に示すように、カマ状ボルト２６が施錠方向に回動して、その先端のカマ爪３１が戸先側木口から突出し、受穴５５及び係合穴５６を通って受箱２０の内壁面と係合し、扉１５の開放方向へのスライド変位が規制された施錠状態となる。
【００４２】
この際、扉１５は吊り下げ支持であることから、例えば、サムターン１７を施錠方向に回転操作しようとする操作荷重によって、扉１５がスライド方向と直行する振れ方向に動こうとするが、その振れによって戸先側木口から突出過程にあるカマ爪３１がズレようとしても、カマ爪３１がガイド面６４ａに当接することによって、係合溝部６３へと案内され、容易に施錠状態とすることができる。
【００４３】
このように、本発明にあっては、出入口をスライド変位して開閉する扉１５の内部に固定されて扉１５の戸先側木口から出没可能なカマ状ボルト２６を備えた鍵箱１８と、出入口の扉１５閉成状態のときに戸先側木口が突き当たる戸先側開口縦縁に埋設されてカマ状ボルト２６と係合可能な受穴５５を備えた受箱２０と、を備え、受箱２０には、受穴５５の穴幅と略一致する開放端６１とカマ状ボルト２６のカマ爪３１幅以上の係合溝部６３とが一体に形成され、且つ、係合溝部６３よりも開放端６１の方が幅広となるように拡開された引き寄せガイド部材５４が設けられていることにより、カマ状ボルト２６を用いた施錠操作を容易に行うことができる。
【００４４】
この際、カマ爪３１の先端が厚さ方向で先細りとされていることにより、扉１５の振れに対する係合溝部６３への係合をより一層、容易に行うことができる。
【００４５】
また、引き寄せガイド部材５４を樹脂やゴム等で構成することにより、カマ爪３１の損傷等を抑制することができる。
【符号の説明】
【００４６】
１８…鍵箱
２０…受箱
２６…カマ状ボルト
３１…カマ爪
３１ａ…テーパ面
５４…引き寄せガイド部材
５５…受穴
６１…開放端
６３…係合溝部
６４…側面部
６４ａ…ガイド面
【図１】
2011202377.tif 000003
【図２】
2011202377.tif 000004
【図３】
2011202377.tif 000005
【図４】
2011202377.tif 000006
【図５】
2011202377.tif 000007
【図６】
2011202377.tif 000008
【図７】
2011202377.tif 000009
【図８】
2011202377.tif 000010